(57)【要約】【課題】「Ｔｉｍｉｎｇ  ａｄｖａｎｃｅ（ＴＡＤＶ）」を正確に算出する。【解決手段】本発明に係る移動通信方法は、移動局ＵＥが、無線基地局ｅＮＢに対して所定信号を送信するための「Ｓｃｈｅｄｕｌｉｎｇ  Ｒｅｑｕｅｓｔ」を送信する工程と、無線基地局ｅＮＢが、移動局ＵＥに対して所定信号を送信するための無線リソースを割り当てるための「ＵＬ  Ｇｒａｎｔ」を送信する工程と、移動局ＵＥが、「ＵＬ  Ｇｒａｎｔ」によって割り当てられた無線リソースを用いて無線基地局ｅＮＢに対して所定信号を送信する工程と、移動局ＵＥが、無線基地局ｅＮＢから受信した指示情報に基づいて「ＵＥ  Ｒｘ-Ｔｘ  Ｔｉｍｅ  Ｄｉｆｆｅｒｅｎｃｅ」を算出する工程と、移動局ＵＥが、無線基地局ｅＮＢに対して「ＵＥ  Ｒｘ-Ｔｘ  Ｔｉｍｅ  Ｄｉｆｆｅｒｅｎｃｅ」を含む「ＲＲＣ  Ｍｅａｓｕｒｅｍｅｎｔ  Ｒｅｐｏｒｔ」を送信する工程Ｅとを有する。【選択図】図３
2011114702.tif 000002
【特許請求の範囲】
【請求項１】
移動局が、無線基地局に対して、所定信号を送信するためのスケジューリング要求信号を送信する工程Ａと、
前記無線基地局が、前記移動局に対して、前記所定信号を送信するための無線リソースを割り当てるための割当信号を送信する工程Ｂと、
前記移動局が、前記割当信号によって割り当てられた前記無線リソースを用いて、前記無線基地局に対して、前記所定信号を送信する工程Ｃと、
前記移動局が、前記無線基地局から受信した指示情報に基づいて、前記所定信号の送信時刻と前記割当信号の受信時刻との時間差を示す移動局時間差情報を算出する工程Ｄと、
前記移動局が、前記無線基地局に対して、前記移動局時間差情報を含む測定報告信号を送信する工程Ｅとを有することを特徴とする移動通信方法。
【請求項２】
前記所定信号は、前記測定報告信号であることを特徴とする請求項１に記載の移動通信方法。
【請求項３】
前記所定信号は、前記移動局と前記無線基地局との間のコネクションに係るコネクション再構成応答信号であることを特徴とする請求項１に記載の移動通信方法。
【請求項４】
前記無線基地局が、前記割当信号の送信時刻と前記所定信号の受信時刻との時間差を示す無線基地局時間差情報を算出する工程Ｆと、
前記無線基地局が、前記移動局時間差情報及び前記無線基地局時間差情報を用いて、該無線基地局と該移動局との間の往復伝搬遅延情報を算出する工程Ｇとを有することを特徴とする請求項１に記載の移動通信方法。
【請求項５】
前記工程Ｅにおいて、前記移動局は、前記移動局時間差情報の測定完了時刻におけるカウンタ値を更に含む前記測定報告信号を送信し、
前記工程Ｇにおいて、前記無線基地局は、前記移動局時間差情報、及び、前記移動局時間差情報の測定完了時刻におけるＳＦＮに対応する前記無線基地局時間差情報を用いて、前記往復伝搬時間情報を算出することを特徴とする請求項４に記載の移動通信方法。
【請求項６】
前記無線基地局は、前記移動局に対して、コネクション再構成信号に含まれる測定制御情報によって、前記指示情報を送信することを特徴とする請求項１に記載の移動通信方法。
【請求項７】
無線基地局に対して、所定信号を送信するためのスケジューリング要求信号を送信するように構成されているスケジューリング要求信号送信部と、
前記無線基地局から受信した割当信号によって割り当てられた無線リソースを用いて、該無線基地局に対して、前記所定信号を送信するように構成されている所定信号送信部と、
前記無線基地局から受信した指示情報に基づいて、前記所定信号の送信時刻と前記割当信号の受信時刻との時間差を示す移動局時間差情報を算出するように構成されている移動局時間差情報算出部と、
前記無線基地局に対して、前記移動局時間差情報を含む測定報告信号を送信するように構成されている測定報告信号送信部とを具備することを特徴とする移動局。
【請求項８】
前記所定信号は、前記測定報告信号であることを特徴とする請求項７に記載の移動局。
【請求項９】
前記所定信号は、前記移動局と前記無線基地局との間のコネクションに係るコネクション再構成応答信号であることを特徴とする請求項７に記載の移動局。
【請求項１０】
移動局から受信したスケジューリング要求信号に応じて、該移動局に対して、所定信号を送信するための無線リソースを割り当てるための割当信号を送信するように構成されている割当信号送信部と、
前記移動局によって前記無線リソースを用いて送信された前記所定信号を受信するように構成されている所定信号受信部と、
前記割当信号の送信時刻と前記所定信号の受信時刻との時間差を示す無線基地局時間差情報を算出するように構成されている無線基地局時間差情報算出部と、
前記移動局によって送信された測定報告信号に含まれる前記所定信号の送信時刻と前記割当信号の受信時刻との時間差を示す移動局時間差情報、及び、前記無線基地局時間差情報算出部によって算出された前記無線基地局時間差情報を用いて、該無線基地局と該移動局との間の往復伝搬時間情報を算出するように構成されている往復伝搬時間情報算出部とを具備することを特徴とする無線基地局。
【請求項１１】
前記往復伝搬時間情報算出部は、前記移動局時間差情報、及び、前記移動局から受信した前記測定報告信号に含まれる前記移動局時間差情報の測定完了時刻におけるカウンタ値に対応する前記無線基地局時間差情報を用いて、前記往復伝搬時間情報を算出するように構成されていることを特徴とする請求項１０に記載の無線基地局。
【発明の詳細な説明】
【技術分野】
【０００１】
本発明は、移動通信方法、移動局及び無線基地局に関する。
【背景技術】
【０００２】
ＬＴＥ（Ｒｅｌｅａｓｅ．９）において、「Ｃ-ｐｌａｎｅ  ＬＣＳ（Ｌｏｃａｔｉｏｎ  Ｓｅｒｖｉｃｅ）」の標準化作業が進められている。かかる「Ｃ-ｐｌａｎｅ  ＬＣＳ」の測位方式の１つとして「Ｅｎｈａｎｃｅｄ  Ｃｅｌｌ  ＩＤ（Ｅ-ＣＩＤ）」が規定されている。
【０００３】
「Ｅ-ＣＩＤ」において、無線基地局ｅＮＢが、（式１）によって、無線基地局ｅＮＢと移動局ＵＥとの間の往復伝搬時間情報ＲＴＴ（Ｒｏｕｎｄ  Ｔｒｉｐ  Ｔｉｍｅ）である「Ｔｉｍｉｎｇ  ａｄｖａｎｃｅ（ＴＡＤＶ）」を算出することが規定されている（例えば、非特許文献１参照）。
【０００４】
ＴＡＤＶ＝（ｅＮＢ  Ｒｘ-Ｔｘ  Ｔｉｍｅ  Ｄｉｆｆｅｒｅｎｃｅ）＋（ＵＥ  Ｒｘ-Ｔｘ  Ｔｉｍｅ  Ｄｉｆｆｅｒｅｎｃｅ）  …  （式１）
ここで、「ｅＮＢ  Ｒｘ-Ｔｘ  Ｔｉｍｅ  Ｄｉｆｆｅｒｅｎｃｅ」は、（無線基地局ｅＮＢにおける受信時刻）−（無線基地局ｅＮＢにおける送信時刻）によって算出される無線基地局時間差情報（正の値）であり、例えば、（無線基地局ｅＮＢにおける「ＲＲＣ  Ｍｅａｓｕｒｅｍｅｎｔ  Ｒｅｐｏｒｔ」の受信時刻）−（無線基地局ｅＮＢにおける「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」の送信時刻）によって算出される無線基地局時間差情報である。
【０００５】
また、「ＵＥ  Ｒｘ-Ｔｘ  Ｔｉｍｅ  Ｄｉｆｆｅｒｅｎｃｅ」は、（移動局ＵＥにおける受信時刻）−（移動局ＵＥにおける送信時刻）によって算出される移動局時間差情報（負の値）であり、例えば、（移動局ＵＥにおける「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」の受信時刻）−（移動局ＵＥにおける「ＲＲＣ  Ｍｅａｓｕｒｅｍｅｎｔ  Ｒｅｐｏｒｔ」の送信時刻）によって算出される移動局時間差情報である。
【０００６】
以下、図４を参照して、従来のＬＴＥ（Ｒｅｌｅａｓｅ．９）が適用されている移動通信システムの動作について説明する（例えば、非特許文献２参照）。
【０００７】
Ｔ１において、無線基地局ｅＮＢは、移動局ＵＥに対して、「ＵＥ  Ｒｘ-Ｔｘ  Ｔｉｍｅ  Ｄｉｆｆｅｒｅｎｃｅ」の測定を指示する指示情報を含む「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信する。
【０００８】
Ｔ２において、移動局ＵＥのハードウェア機能（以下、ＵＥ-ＨＷ）は、かかる「ＲＲＣ  Ｃｏｎｎｅｃｔｉｏｎ  Ｒｅｃｏｎｆｉｇｕｒａｔｉｏｎ」を受信すると、移動局ＵＥのアプリケーション機能（以下、ＵＥ-ＡＰ）に対して、かかる「ＲＲＣ  Ｃｏｎｎｅｃｔｉｏｎ  Ｒｅｃｏｎｆｉｇｕｒａｔｉｏｎ」を送信する。
【０００９】
ＵＥ-ＡＰは、Ｔ３において、かかる「ＲＲＣ  Ｃｏｎｎｅｃｔｉｏｎ  Ｒｅｃｏｎｆｉｇｕｒａｔｉｏｎ」を受信すると、Ｔ４において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を生成し、ＵＥ-ＨＷに対して送信する。
【００１０】
ＵＥ-ＨＷは、Ｔ５において、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信すると、Ｔ６において、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するための「Ｓｃｈｅｄｕｌｉｎｇ  Ｒｅｑｕｅｓｔ」を送信する。
【００１１】
無線基地局ｅＮＢは、Ｔ７において、かかる「Ｓｃｈｅｄｕｌｉｎｇ  Ｒｅｑｕｅｓｔ」を受信すると、Ｔ８において、移動局ＵＥに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するための無線リソースを割り当てるための「ＵＬ  Ｇｒａｎｔ」を送信する。
【００１２】
ＵＥ-ＨＷは、Ｔ９において、かかる「ＵＬ  Ｇｒａｎｔ」を受信すると、Ｔ１０Ａにおいて、かかる「ＵＬ  Ｇｒａｎｔ」によって割り当てられた無線リソースを用いて、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００１３】
Ｔ１０Ｂにおいて、無線基地局ｅＮＢは、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信する。
【００１４】
一方、ＵＥ-ＨＷは、Ｔ１１において、移動局時間差情報である「ＵＥ  Ｒｘ−Ｔｘ  Ｔｉｍｅ  Ｄｉｆｆｅｒｅｎｃｅ」の測定結果についてＵＥ-ＡＰに通知し、ＵＥ-ＡＰは、Ｔ１２において、かかる測定結果を受信する。
【００１５】
ＵＥ-ＡＰは、Ｔ１３において、受信した測定結果に基づいて、「ＲＲＣ  Ｍｅａｓｕｒｅｍｅｎｔ  Ｒｅｐｏｒｔ」を生成し、ＵＥ-ＨＷに対して送信する。
【００１６】
ＵＥ-ＨＷは、Ｔ１４において、かかる「ＲＲＣ  Ｍｅａｓｕｒｅｍｅｎｔ  Ｒｅｐｏｒｔ」を受信すると、Ｔ１５において、かかる「ＲＲＣ  Ｍｅａｓｕｒｅｍｅｎｔ  Ｒｅｐｏｒｔ」を送信するための「Ｓｃｈｅｄｕｌｉｎｇ  Ｒｅｑｕｅｓｔ」を送信する。
【００１７】
無線基地局ｅＮＢは、Ｔ１６において、かかる「Ｓｃｈｅｄｕｌｉｎｇ  Ｒｅｑｕｅｓｔ」を受信すると、Ｔ１７において、移動局ＵＥに対して、「ＲＲＣ  Ｍｅａｓｕｒｅｍｅｎｔ  Ｒｅｐｏｒｔ」を送信するための無線リソースを割り当てるための「ＵＬ  Ｇｒａｎｔ」を送信する。
【００１８】
ＵＥ-ＨＷは、Ｔ１８において、かかる「ＵＬ  Ｇｒａｎｔ」を受信すると、Ｔ１９において、かかる「ＵＬ  Ｇｒａｎｔ」によって割り当てられた無線リソースを用いて、無線基地局ｅＮＢに対して、「ＲＲＣ  Ｍｅａｓｕｒｅｍｅｎｔ  Ｒｅｐｏｒｔ」を送信する。
【００１９】
無線基地局ｅＮＢは、Ｔ２０において、かかる「ＲＲＣ  Ｍｅａｓｕｒｅｍｅｎｔ  Ｒｅｐｏｒｔ」を受信する。
【先行技術文献】
【非特許文献】
【００２０】
【非特許文献１】３ＧＰＰ寄書「Ｒ１-０９４４３０」
【非特許文献２】３ＧＰＰ寄書「Ｒ２-０９７４９４」
【発明の概要】
【発明が解決しようとする課題】
【００２１】
しかしながら、上述の移動通信システムでは、「ＵＥ  Ｒｘ-Ｔｘ  Ｔｉｍｅ  Ｄｉｆｆｅｒｅｎｃｅ」の測定期間が明確に規定されていないため、無線基地局ｅＮＢが、「Ｔｉｍｉｎｇ  ａｄｖａｎｃｅ（ＴＡＤＶ）」を正確に算出することができない可能性があるという問題点があった。
【００２２】
例えば、図４に示すように、無線基地局ｅＮＢが、「ｅＮＢ  Ｒｘ-Ｔｘ  Ｔｉｍｅ  Ｄｉｆｆｅｒｅｎｃｅ」の測定期間を「Ｔ１〜Ｔ２０」と考えている場合に、移動局ＵＥが、「ＵＥ  Ｒｘ-Ｔｘ  Ｔｉｍｅ  Ｄｉｆｆｅｒｅｎｃｅ」の測定期間を「Ｔ９〜Ｔ１０」とした場合、無線基地局ｅＮＢが、「Ｔｉｍｉｎｇ  ａｄｖａｎｃｅ（ＴＡＤＶ）」を正確に算出することができない。
【００２３】
そこで、本発明は、上述の課題に鑑みてなされたものであり、往復伝搬時間情報である「Ｔｉｍｉｎｇ  ａｄｖａｎｃｅ（ＴＡＤＶ）」を正確に算出することができる移動通信方法、移動局及び無線基地局を提供することを目的とする。
【課題を解決するための手段】
【００２４】
本発明の第１の特徴は、移動通信方法であって、移動局が、無線基地局に対して、所定信号を送信するためのスケジューリング要求信号を送信する工程Ａと、前記無線基地局が、前記移動局に対して、前記所定信号を送信するための無線リソースを割り当てるための割当信号を送信する工程Ｂと、前記移動局が、前記割当信号によって割り当てられた前記無線リソースを用いて、前記無線基地局に対して、前記所定信号を送信する工程Ｃと、前記移動局が、前記無線基地局から受信した指示情報に基づいて、前記所定信号の送信時刻と前記割当信号の受信時刻との時間差を示す移動局時間差情報を算出する工程Ｄと、前記移動局が、前記無線基地局に対して、前記移動局時間差情報を含む測定報告信号を送信する工程Ｅとを有することを要旨とする。
【００２５】
本発明の第２の特徴は、移動局であって、無線基地局に対して、所定信号を送信するためのスケジューリング要求信号を送信するように構成されているスケジューリング要求信号送信部と、前記無線基地局から受信した割当信号によって割り当てられた無線リソースを用いて、該無線基地局に対して、前記所定信号を送信するように構成されている所定信号送信部と、前記無線基地局から受信した指示情報に基づいて、前記所定信号の送信時刻と前記割当信号の受信時刻との時間差を示す移動局時間差情報を算出するように構成されている移動局時間差情報算出部と、前記無線基地局に対して、前記移動局時間差情報を含む測定報告信号を送信するように構成されている測定報告信号送信部とを具備することを要旨とする。
【００２６】
本発明の第３の特徴は、無線基地局であって、移動局から受信したスケジューリング要求信号に応じて、該移動局に対して、所定信号を送信するための無線リソースを割り当てるための割当信号を送信するように構成されている割当信号送信部と、前記移動局によって前記無線リソースを用いて送信された前記所定信号を受信するように構成されている所定信号受信部と、前記割当信号の送信時刻と前記所定信号の受信時刻との時間差を示す無線基地局時間差情報を算出するように構成されている無線基地局時間差情報算出部と、前記移動局によって送信された測定報告信号に含まれる前記所定信号の送信時刻と前記割当信号の受信時刻との時間差を示す移動局時間差情報、及び、前記無線基地局時間差情報算出部によって算出された前記無線基地局時間差情報を用いて、該無線基地局と該移動局との間の往復伝搬時間情報を算出するように構成されている往復伝搬時間情報算出部とを具備することを要旨とする。
【発明の効果】
【００２７】
以上説明したように、本発明によれば、往復伝搬時間情報である「Ｔｉｍｉｎｇ  ａｄｖａｎｃｅ（ＴＡＤＶ）」を正確に算出することができる移動通信方法、移動局及び無線基地局を提供することができる。
【図面の簡単な説明】
【００２８】
【図１】本発明の第１の実施形態に係る無線基地局の機能ブロック図である。
【図２】本発明の第１の実施形態に係る移動局の機能ブロック図である。
【図３】本発明の第１の実施形態に係る移動通信システムの動作を説明するための図である。
【図４】従来の移動通信システムの動作を説明するための図である。
【発明を実施するための形態】
【００２９】
（本発明の第１の実施形態に係る移動通信システムの構成）
図１及び図２を参照して、本発明の第１の実施形態に係る移動通信システムの構成について説明する。本実施形態に係る移動通信システムには、ＬＴＥ（Ｒｅｌｅａｓｅ．９）が適用されているものとする。
【００３０】
図１に示すように、本実施形態に係る無線基地局ｅＮＢは、アプリケーション機能１０と、プラットフォーム機能２０とを具備している。
【００３１】
アプリケーション機能１０は、アプリケーションメッセージ生成部１１と、算出部１２と、プラットフォーム機能インターフェイス１３とを具備している。
【００３２】
プラットフォーム機能２０は、アプリケーション機能インターフェイス２１と、送信部２２と、受信部２３と、測定部２４と、プラットフォームメッセージ生成部２５とを具備している。
【００３３】
アプリケーションメッセージ生成部１１は、「ＲＲＣ  Ｃｏｎｎｅｃｔｉｏｎ  Ｒｅｃｏｎｆｉｇｕｒａｔｉｏｎ」等の信号を生成するように構成されている。
【００３４】
また、アプリケーションメッセージ生成部１１は、「ＵＥ  Ｒｘ-Ｔｘ  Ｔｉｍｅ  Ｄｉｆｆｅｒｅｎｃｅ」の算出を指示する指示情報を生成するように構成されている。
【００３５】
また、アプリケーションメッセージ生成部１１は、プラットフォーム機能インターフェイス１３を介して、プラットフォーム機能２０に対して、かかる「ＲＲＣ  Ｃｏｎｎｅｃｔｉｏｎ  Ｒｅｃｏｎｆｉｇｕｒａｔｉｏｎ」等の信号等を送信するように構成されている。
【００３６】
算出部１２は、プラットフォーム機能インターフェイス１３を介して受信した測定報告信号に含まれる「ＵＥ  Ｒｘ-Ｔｘ  Ｔｉｍｅ  Ｄｉｆｆｅｒｅｎｃｅ」及び「ｅＮＢ  Ｒｘ-Ｔｘ  Ｔｉｍｅ  Ｄｉｆｆｅｒｅｎｃｅ」を用いて、「Ｔｉｍｉｎｇ  ａｄｖａｎｃｅ」を算出するように構成されている。
【００３７】
また、算出部１２は、プラットフォーム機能インターフェイス１３を介して、「ＵＥ  Ｒｘ-Ｔｘ  Ｔｉｍｅ  Ｄｉｆｆｅｒｅｎｃｅ」及び「ＳＦＮ（Ｓｙｓｔｅｍ  Ｆｒａｍｅ  Ｎｕｍｂｅｒ）」を受信して記憶するように構成されていてもよい。かかる「ＳＦＮ」は、移動局ＵＥによって「ＵＥ  Ｒｘ-Ｔｘ  Ｔｉｍｅ  Ｄｉｆｆｅｒｅｎｃｅ」の測定が終了した時刻におけるセル固有のカウンタ値である。
【００３８】
さらに、算出部１２は、プラットフォーム機能インターフェイス１３を介して、「ｅＮＢ  Ｒｘ-Ｔｘ  Ｔｉｍｅ  Ｄｉｆｆｅｒｅｎｃｅ」及び「ＳＦＮ」を受信して記憶するように構成されていてもよい。かかる「ＳＦＮ」は、無線基地局ｅＮＢによって「ｅＮＢ  Ｒｘ-Ｔｘ  Ｔｉｍｅ  Ｄｉｆｆｅｒｅｎｃｅ」の測定が終了した時刻におけるセル固有のカウンタ値である。
【００３９】
ここで、算出部１２は、測定報告信号に含まれる「ＵＥ  Ｒｘ-Ｔｘ  Ｔｉｍｅ  Ｄｉｆｆｅｒｅｎｃｅ」、及び、当該「ＵＥ  Ｒｘ-Ｔｘ  Ｔｉｍｅ  Ｄｉｆｆｅｒｅｎｃｅ」の測定を終了した時刻における「ＳＦＮ」と同一値若しくは最も近い値を有する「ＳＦＮ」に対応する「ｅＮＢ  Ｒｘ-Ｔｘ  Ｔｉｍｅ  Ｄｉｆｆｅｒｅｎｃｅ」を用いて、「Ｔｉｍｉｎｇ  ａｄｖａｎｃｅ」を算出するように構成されている。
【００４０】
送信部２２は、移動局ＵＥに対して、アプリケーション機能インターフェイス２１を介して受信した「ＲＲＣ  Ｃｏｎｎｅｃｔｉｏｎ  Ｒｅｃｏｎｆｉｇｕｒａｔｉｏｎ」や「ＵＬ  Ｇｒａｎｔ」等の信号を送信するように構成されている。
【００４１】
受信部２３は、移動局ＵＥから、「ＲＲＣ  Ｃｏｎｎｅｃｔｉｏｎ  Ｒｅｃｏｎｆｉｇｕｒａｔｉｏｎ  Ｃｏｍｐｌｅｔｅ」や「Ｓｃｈｅｄｕｌｉｎｇ  Ｒｅｑｕｅｓｔ」や「ＲＲＣ  Ｍｅａｓｕｒｅｍｅｎｔ  Ｒｅｐｏｒｔ」等の信号を受信するように構成されている。
【００４２】
また、受信部２３は、アプリケーション機能インターフェイス２１を介して、アプリケーション機能１０に対して、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」や「ＲＲＣ  Ｍｅａｓｕｒｅｍｅｎｔ  Ｒｅｐｏｒｔ」等の信号を送信するように構成されている。
【００４３】
測定部２４は、「ＵＬ  Ｇｒａｎｔ」の送信時刻と所定信号（例えば、ＲＲＣ  Ｃｏｎｎｅｃｔｉｏｎ  Ｒｅｃｏｎｆｉｇｕｒａｔｉｏｎ  Ｃｏｍｐｌｅｔｅや、ＲＲＣ  Ｍｅａｓｕｒｅｍｅｎｔ  Ｒｅｐｏｒｔ等）の受信時刻との時間差を示す「ｅＮＢ  Ｒｘ-Ｔｘ  Ｔｉｍｅ  Ｄｉｆｆｅｒｅｎｃｅ」を算出（測定）するように構成されている。ここで、測定部２４は、「ＵＬ  Ｇｒａｎｔ」を送信する度に、「ｅＮＢ  Ｒｘ-Ｔｘ  Ｔｉｍｅ  Ｄｉｆｆｅｒｅｎｃｅ」を算出するように構成されていてもよい。
【００４４】
また、測定部２４は、「ｅＮＢ  Ｒｘ-Ｔｘ  Ｔｉｍｅ  Ｄｉｆｆｅｒｅｎｃｅ」を算出する度に、「ｅＮＢ  Ｒｘ-Ｔｘ  Ｔｉｍｅ  Ｄｉｆｆｅｒｅｎｃｅ」の測定終了時刻における「ＳＦＮ」を測定するように構成されている。
【００４５】
なお、測定部２４は、アプリケーション機能インターフェイス２１を介して、アプリケーション機能１０に対して、「ｅＮＢ  Ｒｘ-Ｔｘ  Ｔｉｍｅ  Ｄｉｆｆｅｒｅｎｃｅ」及び「ＳＦＮ」を送信するように構成されている。
【００４６】
ここで、測定部２４は、「ｅＮＢ  Ｒｘ-Ｔｘ  Ｔｉｍｅ  Ｄｉｆｆｅｒｅｎｃｅ」を算出する度に、「ｅＮＢ  Ｒｘ-Ｔｘ  Ｔｉｍｅ  Ｄｉｆｆｅｒｅｎｃｅ」及び「ＳＦＮ」を送信するように構成されていてもよいし、所定タイミングで、複数の「ｅＮＢ  Ｒｘ-Ｔｘ  Ｔｉｍｅ  Ｄｉｆｆｅｒｅｎｃｅ」及び「ＳＦＮ」をまとめて送信するように構成されていてもよい。
【００４７】
プラットフォームメッセージ生成部は、「ＵＬ  Ｇｒａｎｔ」等の信号を生成するように構成されている。
【００４８】
図２に示すように、本実施形態に係る移動局ＵＥは、ハードウェア機能３０と、アプリケーション機能４０とを具備している。
【００４９】
ハードウェア機能３０は、受信部３１と、送信部３２と、測定部３３と、アプリケーション機能インターフェイス３４と、ハードウェアメッセージ生成部３５とを具備している。
【００５０】
アプリケーション機能４０は、アプリケーションメッセージ生成部４１と、ハードウェア機能インターフェイス４２とを具備している。
【００５１】
受信部３１は、無線基地局ｅＮＢから、「ＲＲＣ  Ｃｏｎｎｅｃｔｉｏｎ  Ｒｅｃｏｎｆｉｇｕｒａｔｉｏｎ」や「ＵＬ  Ｇｒａｎｔ」等の信号を受信するように構成されている。
【００５２】
また、受信部３１は、無線基地局ｅＮＢから、「ＵＥ  Ｒｘ-Ｔｘ  Ｔｉｍｅ  Ｄｉｆｆｅｒｅｎｃｅ」の算出を指示する指示情報を受信するように構成されている。
【００５３】
ここで、受信部３１は、「ＲＲＣ  Ｃｏｎｎｅｃｔｉｏｎ  Ｒｅｃｏｎｆｉｇｕｒａｔｉｏｎ」に含まれる「Ｍｅａｓｕｒｅｍｅｎｔ  Ｃｏｎｆｉｇｕｒｅａｔｉｏｎ」を介して、かかる指示情報を受信するように構成されていてもよいし、Ｃ-ｐｌａｎｅ信号やＵ-ｐｌａｎｅ信号を介して、かかる指示情報を受信するように構成されていてもよい。
【００５４】
また、受信部３１は、アプリケーション機能インターフェイス３４を介して、アプリケーション機能４０に対して、かかる「ＲＲＣ  Ｃｏｎｎｅｃｔｉｏｎ  Ｒｅｃｏｎｆｉｇｕｒａｔｉｏｎ」等の信号や、上述の指示情報を送信するように構成されている。
【００５５】
送信部３２は、無線基地局ｅＮＢに対して、「Ｓｃｈｅｄｕｌｉｎｇ  Ｒｅｑｕｅｓｔ」等を送信したり、アプリケーション機能インターフェイス３４を介して受信した「ＲＲＣ  Ｃｏｎｎｅｃｔｉｏｎ  Ｒｅｃｏｎｆｉｇｕｒａｔｉｏｎ  Ｃｏｍｐｌｅｔｅ」や「ＲＲＣ  Ｍｅａｓｕｒｅｍｅｎｔ  Ｒｅｐｏｒｔ」等の信号を送信したりするように構成されている。
【００５６】
測定部３３は、アプリケーション機能インターフェイス３４を介して受信した指示情報に基づいて、所定信号の送信時刻と「ＵＬ  Ｇｒａｎｔ」の受信時刻との時間差を示す「ＵＥ  Ｒｘ-Ｔｘ  Ｔｉｍｅ  Ｄｉｆｆｅｒｅｎｃｅ」を算出するように構成されている。
【００５７】
ハードウェアメッセージ生成部３５は、無線基地局ｅＮＢに対して送信する「Ｓｃｈｅｄｕｌｉｎｇ  Ｒｅｑｕｅｓｔ」等を生成するように構成されている。
【００５８】
アプリケーションメッセージ生成部４１は、「ＲＲＣ  Ｃｏｎｎｅｃｔｉｏｎ  Ｒｅｃｏｎｆｉｇｕｒａｔｉｏｎ  Ｃｏｍｐｌｅｔｅ」や「ＲＲＣ  Ｍｅａｓｕｒｅｍｅｎｔ  Ｒｅｐｏｒｔ」等の信号を生成するように構成されている。
【００５９】
また、アプリケーションメッセージ生成部４１は、ハードウェア機能インターフェイス４２を介して、ハードウェア機能３０に対して、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」や「ＲＲＣ  Ｍｅａｓｕｒｅｍｅｎｔ  Ｒｅｐｏｒｔ」等の信号を送信するように構成されている。
【００６０】
（本発明の第１の実施形態に係る移動通信システムの動作）
図３を参照して、本発明の第１の実施形態に係る移動通信システムの動作について説明する。
【００６１】
図３に示すように、Ｔ１において、無線基地局ｅＮＢのアプリケーション機能１０（以下、ｅＮＢ-ＡＰ）は、「ＵＥ  Ｒｘ-Ｔｘ  Ｔｉｍｅ  Ｄｉｆｆｅｒｅｎｃｅ」の算出（測定）を指示する指示情報を含む「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を生成し、無線基地局ｅＮＢのプラットフォーム機能２０（以下、ｅＮＢ-ＰＦ）に対して送信する。
【００６２】
ここで、ｅＮＢ-ＡＰは、ｅＮＢ-ＰＦに対して、「ＵＬ  Ｇｒａｎｔ」の送信時刻（図３におけるＴ９）を、「ｅＮＢ  Ｒｘ-Ｔｘ  Ｔｉｍｅ  Ｄｉｆｆｅｒｅｎｃｅ」の算出を開始する時点とするように指示する。
【００６３】
ｅＮＢ-ＰＦは、Ｔ２において、かかる「ＲＲＣ  Ｃｏｎｎｅｃｔｉｏｎ  Ｒｅｃｏｎｆｉｇｕｒａｔｉｏｎ」を受信すると、移動局ＵＥに対して、かかる「ＲＲＣ  Ｃｏｎｎｅｃｔｉｏｎ  Ｒｅｃｏｎｆｉｇｕｒａｔｉｏｎ」を送信する。
【００６４】
ここで、ｅＮＢ-ＰＦは、上述の指示情報を、「ＲＲＣ  Ｃｏｎｎｅｃｔｉｏｎ  Ｒｅｃｏｎｆｉｇｕｒａｔｉｏｎ」以外の信号によって、移動局ＵＥに対して通知してもよい。
【００６５】
Ｔ３において、移動局ＵＥのハードウェア機能３０（以下、ＵＥ-ＨＷ）は、かかる「ＲＲＣ  Ｃｏｎｎｅｃｔｉｏｎ  Ｒｅｃｏｎｆｉｇｕｒａｔｉｏｎ」を受信すると、移動局ＵＥのアプリケーション機能４０（以下、ＵＥ-ＡＰ）に対して、かかる「ＲＲＣ  Ｃｏｎｎｅｃｔｉｏｎ  Ｒｅｃｏｎｆｉｇｕｒａｔｉｏｎ」を送信する。
【００６６】
ＵＥ-ＡＰは、Ｔ４において、かかる「ＲＲＣ  Ｃｏｎｎｅｃｔｉｏｎ  Ｒｅｃｏｎｆｉｇｕｒａｔｉｏｎ」を受信すると、Ｔ５において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を生成し、ＵＥ-ＨＷに対して送信する。
【００６７】
ここで、ＵＥ-ＡＰは、上述の指示情報に基づいて、ＵＥ-ＨＷに対して、「ＵＥ  Ｒｘ-Ｔｘ  Ｔｉｍｅ  Ｄｉｆｆｅｒｅｎｃｅ」の測定期間を、「ＵＬ  Ｇｒａｎｔ」を受信してから所定信号（例えば、「ＲＲＣ  Ｃｏｎｎｅｃｔｉｏｎ  Ｒｅｃｏｎｆｉｇｕｒａｔｉｏｎ  Ｃｏｍｐｌｅｔｅ」）を送信するまでの期間とするように指示する。なお、ＵＥ-ＡＰは、Ｔ５以外のタイミングで、かかる指示を行ってもよい。
【００６８】
ＵＥ-ＨＷは、Ｔ６において、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信すると、Ｔ７において、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するための「Ｓｃｈｅｄｕｌｉｎｇ  Ｒｅｑｕｅｓｔ」を送信する。
【００６９】
ｅＮＢ-ＰＦは、Ｔ８において、かかる「Ｓｃｈｅｄｕｌｉｎｇ  Ｒｅｑｕｅｓｔ」を受信すると、Ｔ９において、移動局ＵＥに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するための無線リソースを割り当てるための「ＵＬ  Ｇｒａｎｔ」を送信する。
【００７０】
ＵＥ-ＨＷは、Ｔ１０において、かかる「ＵＬ  Ｇｒａｎｔ」を受信すると、Ｔ１１において、かかる「ＵＬ  Ｇｒａｎｔ」によって割り当てられた無線リソースを用いて、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７１】
ここで、ＵＥ-ＨＷは、「ＵＥ  Ｒｘ-Ｔｘ  Ｔｉｍｅ  Ｄｉｆｆｅｒｅｎｃｅ」として、Ｔ１０とＴ１１との間の時間差を測定する。また、ＵＥ-ＨＷは、Ｔ１１における「ＳＦＮ」を測定する。
【００７２】
ｅＮＢ-ＰＦは、Ｔ１２において、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信すると、ｅＮＢ-ＡＰに対して、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７３】
ここで、ｅＮＢ-ＰＦは、「ｅＮＢ  Ｒｘ-Ｔｘ  Ｔｉｍｅ  Ｄｉｆｆｅｒｅｎｃｅ」として、Ｔ９とＴ１２との間の時間差を測定して記憶すると共に、Ｔ１２における「ＳＦＮ」を測定して記憶する。
【００７４】
Ｔ１３において、ｅＮＢ-ＡＰは、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信する。
【００７５】
一方、ＵＥ-ＨＷは、Ｔ１４において、ＵＥ-ＡＰに対して、「ＵＥ  Ｒｘ-Ｔｘ  Ｔｉｍｅ  Ｄｉｆｆｅｒｅｎｃｅ」の測定結果について通知すると共に、「ＵＥ  Ｒｘ-Ｔｘ  Ｔｉｍｅ  Ｄｉｆｆｅｒｅｎｃｅ」の受信完了時刻における「ＳＦＮ」を通知する。
【００７６】
ＵＥ-ＡＰは、Ｔ１５において、「ＵＥ  Ｒｘ-Ｔｘ  Ｔｉｍｅ  Ｄｉｆｆｅｒｅｎｃｅ」と「ＳＦＮ」とを受信すると、Ｔ１６において、受信した「ＵＥ  Ｒｘ-Ｔｘ  Ｔｉｍｅ  Ｄｉｆｆｅｒｅｎｃｅ」と「ＳＦＮ」とに基づいて、「ＲＲＣ  Ｍｅａｓｕｒｅｍｅｎｔ  Ｒｅｐｏｒｔ」を生成し、ＵＥ-ＨＷに対して送信する。
【００７７】
ＵＥ-ＨＷは、Ｔ１７において、かかる「ＲＲＣ  Ｍｅａｓｕｒｅｍｅｎｔ  Ｒｅｐｏｒｔ」を受信すると、Ｔ１８において、かかる「ＲＲＣ  Ｍｅａｓｕｒｅｍｅｎｔ  Ｒｅｐｏｒｔ」を送信するための「Ｓｃｈｅｄｕｌｉｎｇ  Ｒｅｑｕｅｓｔ」を送信する。
【００７８】
ｅＮＢ-ＨＷは、Ｔ１９において、かかる「Ｓｃｈｅｄｕｌｉｎｇ  Ｒｅｑｕｅｓｔ」を受信すると、Ｔ２０において、移動局ＵＥに対して、「ＲＲＣ  Ｍｅａｓｕｒｅｍｅｎｔ  Ｒｅｐｏｒｔ」を送信するための無線リソースを割り当てるための「ＵＬ  Ｇｒａｎｔ」を送信する。
【００７９】
ＵＥ-ＨＷは、Ｔ２１において、かかる「ＵＬ  Ｇｒａｎｔ」を受信すると、Ｔ２２において、かかる「ＵＬ  Ｇｒａｎｔ」によって割り当てられた無線リソースを用いて、無線基地局ｅＮＢに対して、「ＲＲＣ  Ｍｅａｓｕｒｅｍｅｎｔ  Ｒｅｐｏｒｔ」を送信する。
【００８０】
ｅＮＢ-ＰＦは、Ｔ２３において、かかる「ＲＲＣ  Ｍｅａｓｕｒｅｍｅｎｔ  Ｒｅｐｏｒｔ」を受信する。
【００８１】
Ｔ２４において、ｅＮＢ-ＡＰは、ｅＮＢ-ＰＦから、かかる「ＲＲＣ  Ｍｅａｓｕｒｅｍｅｎｔ  Ｒｅｐｏｒｔ」を受信すると、かかる「ＲＲＣ  Ｍｅａｓｕｒｅｍｅｎｔ  Ｒｅｐｏｒｔ」に含まれている「ＵＥ  Ｒｘ-Ｔｘ  Ｔｉｍｅ  Ｄｉｆｆｅｒｅｎｃｅ」及び「ＳＦＮ」を記憶する。
【００８２】
ここで、ｅＮＢ-ＰＦは、「ｅＮＢ  Ｒｘ-Ｔｘ  Ｔｉｍｅ  Ｄｉｆｆｅｒｅｎｃｅ」として、Ｔ２０とＴ２３との間の時間差を測定して記憶すると共に、Ｔ２３における「ＳＦＮ」を測定して記憶する。
【００８３】
なお、ｅＮＢ-ＰＦは、「ＲＲＣ  Ｃｏｎｎｅｃｔｉｏｎ  Ｒｅｃｏｎｆｉｇｕｒａｔｉｏｎ  Ｃｏｍｐｌｅｔｅ」や「ＲＲＣ  Ｍｅａｓｕｒｅｍｅｎｔ  Ｒｅｐｏｒｔ」といったＲＲＣメッセージの種類を識別することができないため、上述のように、「ＵＬ  Ｇｒａｎｔ」を送信した後、ＲＲＣメッセージを受信した場合には、毎回、「ｅＮＢ  Ｒｘ-Ｔｘ  Ｔｉｍｅ  Ｄｉｆｆｅｒｅｎｃｅ」及び「ＳＦＮ」を測定して記憶するように構成されている。
【００８４】
Ｔ２５において、ｅＮＢ-ＡＰが、ｅＮＢ-ＰＦに対して、「ｅＮＢ  Ｒｘ-Ｔｘ  Ｔｉｍｅ  Ｄｉｆｆｅｒｅｎｃｅ」の問い合わせ信号を送信する。
【００８５】
ｅＮＢ-ＰＦは、Ｔ２６において、かかる問い合わせ信号を受信すると、Ｔ２７において、ｅＮＢ-ＡＰに対して、記憶している全ての「ｅＮＢ  Ｒｘ-Ｔｘ  Ｔｉｍｅ  Ｄｉｆｆｅｒｅｎｃｅ」及び「ＳＦＮ」を通知する。
【００８６】
なお、ｅＮＢ-ＰＦは、「ｅＮＢ  Ｒｘ-Ｔｘ  Ｔｉｍｅ  Ｄｉｆｆｅｒｅｎｃｅ」を測定する度に（図３の例では、Ｔ１２及びＴ２３において）、「ｅＮＢ  Ｒｘ-Ｔｘ  Ｔｉｍｅ  Ｄｉｆｆｅｒｅｎｃｅ」及び「ＳＦＮ」を通知するように構成されていてもよいし、所定周期で、「ｅＮＢ  Ｒｘ-Ｔｘ  Ｔｉｍｅ  Ｄｉｆｆｅｒｅｎｃｅ」及び「ＳＦＮ」を通知するように構成されていてもよい。
【００８７】
Ｔ２８において、ｅＮＢ-ＡＰは、受信した複数の「ｅＮＢ  Ｒｘ-Ｔｘ  Ｔｉｍｅ  Ｄｉｆｆｅｒｅｎｃｅ」の中から、記憶している「ＵＥ  Ｒｘ-Ｔｘ  Ｔｉｍｅ  Ｄｉｆｆｅｒｅｎｃｅ」の「ＳＦＮ」と同値若しくは最も近い「ＳＦＮ」の「ｅＮＢ  Ｒｘ-Ｔｘ  Ｔｉｍｅ  Ｄｉｆｆｅｒｅｎｃｅ」を選択する。
【００８８】
そして、ｅＮＢ-ＡＰは、記憶している「ＵＥ  Ｒｘ-Ｔｘ  Ｔｉｍｅ  Ｄｉｆｆｅｒｅｎｃｅ」及び選択した「ｅＮＢ  Ｒｘ-Ｔｘ  Ｔｉｍｅ  Ｄｉｆｆｅｒｅｎｃｅ」を用いて、上述した（式１）を用いて、「Ｔｉｍｉｎｇ  ａｄｖａｎｃｅ（ＴＡＤＶ）」を算出する。
【００８９】
（本発明の第１の実施形態に係る移動通信システムの作用・効果）
本発明の第１の実施形態に係る移動通信システムによれば、「ＵＥ  Ｒｘ-Ｔｘ  Ｔｉｍｅ  Ｄｉｆｆｅｒｅｎｃｅ」及び「ｅＮＢ  Ｒｘ-Ｔｘ  Ｔｉｍｅ  Ｄｉｆｆｅｒｅｎｃｅ」の測定期間が明確に規定されているため、「Ｔｉｍｉｎｇ  ａｄｖａｎｃｅ（ＴＡＤＶ）」を正確に算出することができる。
【００９０】
以上に述べた本実施形態の特徴は、以下のように表現されていてもよい。
【００９１】
本実施形態の第１の特徴は、移動通信方法であって、移動局ＵＥが、無線基地局ｅＮＢに対して、「所定信号（例えば、ＲＲＣ  Ｃｏｎｎｅｃｔｉｏｎ  Ｒｅｃｏｎｆｉｇｕｒａｔｉｏｎ  Ｃｏｍｐｌｅｔｅや、ＲＲＣ  Ｍｅａｓｕｒｅｍｅｎｔ  Ｒｅｐｏｒｔ等）」を送信するための「Ｓｃｈｅｄｕｌｉｎｇ  Ｒｅｑｕｅｓｔ（スケジューリング要求信号）」を送信する工程Ａと、無線基地局ｅＮＢが、移動局ＵＥに対して、所定信号を送信するための無線リソースを割り当てるための「ＵＬ  Ｇｒａｎｔ（割当信号）」を送信する工程Ｂと、移動局ＵＥが、「ＵＬ  Ｇｒａｎｔ」によって割り当てられた無線リソースを用いて、無線基地局ｅＮＢに対して、所定信号を送信する工程Ｃと、移動局ＵＥが、無線基地局ｅＮＢから受信した指示情報に基づいて、所定信号の送信時刻と「ＵＬ  Ｇｒａｎｔ」の受信時刻との時間差を示す「ＵＥ  Ｒｘ-Ｔｘ  Ｔｉｍｅ  Ｄｉｆｆｅｒｅｎｃｅ（移動局時間差情報）」を算出する工程Ｄと、移動局ＵＥが、無線基地局ｅＮＢに対して、「ＵＥ  Ｒｘ-Ｔｘ  Ｔｉｍｅ  Ｄｉｆｆｅｒｅｎｃｅ」を含む「ＲＲＣ  Ｍｅａｓｕｒｅｍｅｎｔ  Ｒｅｐｏｒｔ（測定報告信号）」を送信する工程Ｅとを有することを要旨とする。
【００９２】
本実施形態の第１の特徴において、無線基地局ｅＮＢが、「ＵＬ  Ｇｒａｎｔ」の送信時刻と所定信号の受信時刻との時間差を示す「ｅＮＢ  Ｒｘ-Ｔｘ  Ｔｉｍｅ  Ｄｉｆｆｅｒｅｎｃｅ（無線基地局時間差情報）」を算出する工程Ｆと、無線基地局ｅＮＢが、「ＵＥ  Ｒｘ-Ｔｘ  Ｔｉｍｅ  Ｄｉｆｆｅｒｅｎｃｅ」及び「ｅＮＢ  Ｒｘ-Ｔｘ  Ｔｉｍｅ  Ｄｉｆｆｅｒｅｎｃｅ」を用いて、無線基地局ｅＮＢと移動局ＵＥとの間の上りリンクにおける「Ｔｉｍｉｎｇ  ａｄｖａｎｃｅ（往復伝搬時間情報）」を算出する工程Ｇとを更に有してもよい。
【００９３】
本実施形態の第１の特徴において、工程Ｅにおいて、移動局ＵＥは、「ＵＥ  Ｒｘ-Ｔｘ  Ｔｉｍｅ  Ｄｉｆｆｅｒｅｎｃｅ（移動局時間差情報）」の測定完了時刻における「ＳＦＮ（カウンタ値）」を更に含む「ＲＲＣ  Ｍｅａｓｕｒｅｍｅｎｔ  Ｒｅｐｏｒｔ」を送信し、工程Ｇにおいて、無線基地局ｅＮＢは、「ＵＥ  Ｒｘ-Ｔｘ  Ｔｉｍｅ  Ｄｉｆｆｅｒｅｎｃｅ」、及び、上述の測定完了時刻におけるＳＦＮに対応する「ｅＮＢ  Ｒｘ-Ｔｘ  Ｔｉｍｅ  Ｄｉｆｆｅｒｅｎｃｅ」を用いて、「Ｔｉｍｉｎｇ  ａｄｖａｎｃｅ」を算出してもよい。
【００９４】
本実施形態の第１の特徴において、無線基地局ｅＮＢは、移動局ＵＥに対して、「ＲＲＣ  Ｃｏｎｎｅｃｔｉｏｎ  Ｒｅｃｏｎｆｉｇｕｒａｔｉｏｎ（コネクション再構成信号）」に含まれる「Ｍｅａｓｕｒｅｍｅｎｔ  Ｃｏｎｆｉｇｕｒａｔｉｏｎ（測定制御情報）」によって、上述の指示情報を送信してもよい。
【００９５】
本実施形態の第２の特徴は、移動局ＵＥであって、無線基地局ｅＮＢに対して、所定信号を送信するための「Ｓｃｈｅｄｕｌｉｎｇ  Ｒｅｑｕｅｓｔ」を送信するように構成されており、無線基地局ｅＮＢから受信した「ＵＬ  Ｇｒａｎｔ」によって割り当てられた無線リソースを用いて、無線基地局ｅＮＢに対して、所定信号を送信するように構成されている送信部３２と、無線基地局ｅＮＢから受信した指示情報に基づいて、「ＵＥ  Ｒｘ-Ｔｘ  Ｔｉｍｅ  Ｄｉｆｆｅｒｅｎｃｅ」を算出するように構成されている測定部３３とを具備し、送信部３２は、無線基地局ｅＮＢに対して、「ＵＥ  Ｒｘ-Ｔｘ  Ｔｉｍｅ  Ｄｉｆｆｅｒｅｎｃｅ」を含む「ＲＲＣ  Ｍｅａｓｕｒｅｍｅｎｔ  Ｒｅｐｏｒｔ」を送信するように構成されていることを要旨とする。
【００９６】
本実施形態の第３の特徴は、無線基地局ｅＮＢであって、移動局ＵＥから受信した「Ｓｃｈｅｄｕｌｉｎｇ  Ｒｅｑｕｅｓｔ」に応じて、移動局ＵＥに対して、所定信号を送信するための無線リソースを割り当てるための「ＵＬ  Ｇｒａｎｔ」を送信するように構成されている送信部２２と、移動局ＵＥによって当該無線リソースを用いて送信された所定信号を受信するように構成されている受信部２３と、「ｅＮＢ  Ｒｘ-Ｔｘ  Ｔｉｍｅ  Ｄｉｆｆｅｒｅｎｃｅ」を算出するように構成されている測定部２４と、移動局ＵＥによって送信された「ＲＲＣ  Ｍｅａｓｕｒｅｍｅｎｔ  Ｒｅｐｏｒｔ」に含まれる「ＵＥ  Ｒｘ-Ｔｘ  Ｔｉｍｅ  Ｄｉｆｆｅｒｅｎｃｅ」及び測定部２４によって算出された「ｅＮＢ  Ｒｘ-Ｔｘ  Ｔｉｍｅ  Ｄｉｆｆｅｒｅｎｃｅ」を用いて、「Ｔｉｍｉｎｇ  ａｄｖａｎｃｅ」を算出するように構成されている算出部１２とを具備することを要旨とする。
【００９７】
本実施形態の第３の特徴において、算出部１２は、「ＵＥ  Ｒｘ-Ｔｘ  Ｔｉｍｅ  Ｄｉｆｆｅｒｅｎｃｅ」、及び、移動局ＵＥから受信した「ＵＥ  Ｒｘ-Ｔｘ  Ｔｉｍｅ  Ｄｉｆｆｅｒｅｎｃｅ」の測定完了時刻におけるＳＦＮに対応する「ｅＮＢ  Ｒｘ-Ｔｘ  Ｔｉｍｅ  Ｄｉｆｆｅｒｅｎｃｅ」を用いて、「Ｔｉｍｉｎｇ  ａｄｖａｎｃｅ」を算出するように構成されていてもよい。
【００９８】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００９９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１００】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【０１０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１０２】
ｅＮＢ…無線基地局
１０…アプリケーション機能
１１…アプリケーションメッセージ生成部
１２…算出部
１３…プラットフォーム機能インターフェイス
２０…プラットフォーム機能
２１…アプリケーション機能インターフェイス
２２…送信部
２３…受信部
２４…測定部
２５…プラットフォームメッセージ生成部
ＵＥ…移動局
３０…ハードウェア機能
３１…受信部
３２…送信部
３３…測定部
３４…アプリケーション機能インターフェイス
３５…ハードウェアメッセージ生成部
４０…アプリケーション機能
４１…アプリケーションメッセージ生成部
４２…ハードウェア機能インターフェイス
【図１】
2011114702.tif 000003
【図２】
2011114702.tif 000004
【図３】
2011114702.tif 000005
【図４】
2011114702.tif 000006
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
無線基地局のプラットフォーム機能が、移動局に対して、第１所定信号を送信するための無線リソースを割り当てるための第割当信号及び第２所定信号を送信するための無線リソースを割り当てるための第２割当信号を送信する工程と、
前記移動局が、前記第1割当信号及び前記第２割当信号によって割り当てられた前記無線リソースを用いて、前記無線基地局のプラットフォーム機能に対して、前記第1所定信号及び前記第２所定信号を送信する工程と、
前記無線基地局のプラットフォーム機能が、前記第１所定信号の受信に応じて、前記第１割当信号の送信時刻と該第１所定信号の受信時刻との時間差を示す第１無線基地局時間差情報及び該第１無線基地局時間差情報の測定が終了した時刻における第１カウンタ値を記憶する工程と、
前記無線基地局のプラットフォーム機能が、前記第２所定信号の受信に応じて、前記第２割当信号の送信時刻と該第２所定信号の受信時刻との時間差を示す第２無線基地局時間差情報及び該第２無線基地局時間差情報の測定が終了した時刻における第２カウンタ値を記憶する工程と、
前記無線基地局のプラットフォーム機能が、前記無線基地局のアプリケーション機能に対して、前記第１無線基地局時間差情報と前記第１カウンタ値と前記第２無線基地局時間差情報と前記第２カウンタ値とを通知する工程と、
前記移動局が、前記無線基地局のプラットフォーム機能に対して、前記第１所定信号の送信時刻と前記第１割当信号の受信時刻との時間差を示す移動局時間差情報及び該移動局時間差情報の測定が終了した時刻における第３カウンタ値を送信する工程と、
前記無線基地局のプラットフォーム機能が、該無線基地局のアプリケーション機能に対して、前記移動局時間差情報及び前記第３カウンタ値を通知する工程と、
前記無線基地局のアプリケーション機能が、前記第１無線基地局時間差情報と前記第１カウンタ値と前記第２無線基地局時間差情報と前記第２カウンタ値と前記移動局時間差情報と前記第３カウンタ値とに基づいて、該無線基地局と該移動局との間の往復伝搬遅延情報を算出する工程とを有することを特徴とする移動通信方法。
【請求項２】
プラットフォーム機能及びアプリケーション機能を具備する無線基地局であって、
前記プラットフォーム機能は、
移動局に対して、第1所定信号を送信するための無線リソースを割り当てるための第1割当信号及び第２所定信号を送信するための無線リソースを割り当てるための第２割当信号を送信するように構成されており、
前記第１所定信号の受信に応じて、前記第１割当信号の送信時刻と該第１所定信号の受信時刻との時間差を示す第１無線基地局時間差情報及び該第１無線基地局時間差情報の測定が終了した時刻における第１カウンタ値を記憶するように構成されており、
前記第２所定信号の受信に応じて、前記第２割当信号の送信時刻と該第２所定信号の受信時刻との時間差を示す第２無線基地局時間差情報及び該第２無線基地局時間差情報の測定が終了した時刻における第２カウンタ値を記憶するように構成されており、
前記アプリケーション機能に対して、前記第１無線基地局時間差情報と前記第１カウンタ値と前記第２無線基地局時間差情報と前記第２カウンタ値とを通知するように構成されており、
前記移動局から、該移動局における前記第１所定信号の送信時刻と前記第１割当信号の受信時刻との時間差を示す移動局時間差情報及び該移動局時間差情報の測定が終了した時刻における第３カウンタ値を受信した場合、前記アプリケーション機能に対して、該移動局時間差情報及び該第３カウンタ値を通知するように構成されており、
前記アプリケーション機能は、
前記第１無線基地局時間差情報と前記第１カウンタ値と前記第２無線基地局時間差情報と前記第２カウンタ値と前記移動局時間差情報と前記第３カウンタ値とに基づいて、該無線基地局と該移動局との間の往復伝搬遅延情報を算出するように構成されていることを特徴とする無線基地局。